(57)【要約】【課題】本発明は、ガラススクリーンの施工性に優れ、外観的に見栄えのよいガラスリブ構造を提供する。【解決手段】本発明のガラスリブ構造１０は、リブガラス２０にディンプル２４を加工し、このディンプル２４に連結部材２２のディンプルカップ２６を嵌合させて連結部材２２をリブガラス２０に取り付ける。これにより、連結部材２２は従来のように溝に沿って落下するようなことはなく、ディンプル２４にディンプルカップ２６を嵌合させるだけで、連結部材２２がリブガラス２０に固定される。よって、本発明のガラスリブ構造１０は、従来のような連結部材の仮止め作業が不要になるので、ガラススクリーン１２の施工性が向上する。また、ディンプル２４は、ディンプルカップ２６がディンプル２４に嵌合すると、連結部材２２の本体部３０に隠されて露出しないので、ガラススクリーン１２の外観の見栄えが改善される。【選択図】図１
2010043456.tif 000002
【特許請求の範囲】
【請求項１】
支持枠によってその対向する一対の二辺が支持されたフェイスガラスが、隣接するフェイスガラスとの目地部において、該フェイスガラスと直交方向に配置されたリブガラスによって支持されたガラススクリーンにおいて、
前記リブガラスには所定の位置に複数の凹状穴が形成され、
前記リブガラスを前記目地部に取り付ける連結部材には、前記リブガラスの前記凹状穴に嵌合される嵌合部と、前記目地部を形成する左右のフェイスガラスに取り付けられる取付部とが設けられていることを特徴とするガラスリブ構造。
【請求項２】
前記連結部材の前記取付部は、前記目地部を形成する隣接するフェイスガラスの目地部に沿う辺を支持するサッシフレーム部である請求項１に記載のガラスリブ構造。
【請求項３】
前記連結部材の前記取付部は、前記フェイスガラスを強化ガラスまたは倍強度ガラスで構成し、該強化ガラスまたは倍強度ガラスに形成された貫通孔に取り付けられる腕状部材である請求項１に記載のガラスリブ構造。
【請求項４】
前記連結部材は、前記リブガラスの長手方向に所定の間隔をもって複数取り付けられている請求項１、２又は３のいずれかに記載のガラスリブ構造。
【発明の詳細な説明】
【技術分野】
【０００１】
本発明はガラスリブ構造に係り、特に隣接するフェイスガラスの目地部に取り付けられたリブガラスによってフェイスガラスを支持するガラススクリーンのガラスリブ構造に関する。
【背景技術】
【０００２】
近年、建築物では、多数のフェイスガラスの上下辺を支持枠によって支持し、これらのフェイスガラスによって外壁を構築するガラスファサードが増えている。リブガラスを用いた従来のガラススクリーン構造では、フェイスガラスの面外方向に働く風圧力等の力に対し、フェイスガラスとリブガラスとをシリコーン系シーリング材で構造的に接着固定している。しかし、経年によるシーリング材の劣化は否めず、また、施工が煩雑となる等の問題があった。この問題を解決すべく、本願出願人は、特許文献１において、
リブガラスの長手方向に沿って溝がリブガラスの全長にわたって形成されるとともに、リブガラスをフェイスガラスに連結する金属製の連結部材には、リブガラスの前記溝に嵌合する爪部と、前記目地部を形成する左右のフェイスガラスに取り付けられる取付部とを設け、隣接するフェイスガラスの目地部にフェイスガラスと直交する方向にリブガラスを取り付けてフェイスガラスを支持するガラススクリーンを提案している。
【０００３】
また、引用文献１では前記溝として、リブガラスの両面に形成されているもの、及びリブガラスの片面に形成されているものが例示されている。更に、溝の断面形状として、コ字形状、Ｖ字形状、半円形状のものがバリエーションとして例示されており、これらの溝形状に前記爪部の形状が対応されている。
【０００４】
なお、特許文献１には、リブガラスの一部分に溝を加工してもよいという記載があるが、リブガラスの一部分に溝を加工することは機械加工上困難であり、また、専用の溝加工機を製作すれば実現できるが、コストが非常に高くなることから現実的ではない。よって、溝に関しては、リブガラスの長手方向に沿ってリブガラスの全長にわたって形成することが機械加工上及びコスト的に最良の手法であった。
【特許文献１】特開２００５−３６６３９号公報
【発明の開示】
【発明が解決しようとする課題】
【０００５】
ところで、特許文献１のガラスリブ構造は、リブガラスに溝を形成することを主たる構成としているので、連結部材の爪部を溝に嵌合させて連結部材を位置決めする際に、連結部材が溝に沿って落下しないように仮止め部材を用いて連結部材をリブガラスに仮止めしなければならず、ガラススクリーンの施工に手間がかかるという問題があった。
【０００６】
また、特許文献１のガラスリブ構造では、連結部材で覆われていない部位において、リブガラスの面から前記溝が露出されるため、外観的に見栄えが悪くなるという懸念があった。すなわち、本来であれば平坦な見栄えのよいリブガラスであるにもかかわらず、溝が見えてしまうことが如何にも不自然であり、これがガラススクリーンの外観を損ねる場合があった。特に、人目のつくビルの低層階では、このような外観不良を改善する必要があった。
【０００７】
本発明は、このような事情に鑑みてなされたもので、ガラススクリーンの施工性に優れ、外観的に見栄えのよいガラスリブ構造を提供することを目的とする。
【課題を解決するための手段】
【０００８】
本発明は、前記目的を達成するために、支持枠によってその対向する一対の二辺が支持されたフェイスガラスが、隣接するフェイスガラスとの目地部において、該フェイスガラスと直交方向に配置されたリブガラスによって支持されたガラススクリーンにおいて、前記リブガラスには所定の位置に複数の凹状穴が形成され、前記リブガラスを前記目地部に取り付ける連結部材には、前記リブガラスの前記凹状穴に嵌合される嵌合部と、前記目地部を形成する左右のフェイスガラスに取り付けられる取付部とが設けられていることを特徴とするガラスリブ構造を提供する。
【０００９】
本発明によれば、リブガラスに凹状穴を加工し、この凹状穴に連結部材の嵌合部を嵌合させて連結部材をリブガラスに取り付ける。これにより、連結部材は従来のように溝に沿って落下するようなことはなく、凹状穴に嵌合部を嵌合させるだけで連結部材がリブガラスに位置決めされる。よって、本発明では、連結部材の仮止め作業が不要になるので、ガラススクリーンの施工性が向上する。また、凹状穴は連結部材に隠されて露出しないので外観の見栄えが改善され、特に、人目のつくビルの低層階に設置されるガラススクリーンに好適となる。本発明は、このように連結部材に形成された嵌合部をリブガラスに形成された凹状穴に嵌合させて連結部材とリブガラスとを構造的に一体化させることにより、フェイスガラスの面外方向に作用する風圧力をリブガラスで支持する。
【００１０】
本発明でいう凹状穴は、貫通孔ではなく連結部材の嵌合部が嵌合し得る凹部である。リブガラスの正面から見た場合、点対称の形状で加工された凹部とすれば、汎用のドリルマシンで加工できるので製造コストも安価となるので好ましい。ドリルマシンで加工する場合、リブガラスの両面の対向する位置に凹状穴を同時に形成すべく、リブガラスの両側から回転軸を一致させたドリルで表裏面の凹状穴を同時に加工するのが好ましい。
【００１１】
また、連結部材の嵌合部は、凹状穴に対応した形状であることが嵌合力向上の観点から好ましい。また、嵌合部と凹状穴との間にシート状の緩衝材を介在させることが好ましい。これにより凹状穴に生じる、金属製の嵌合部による応力集中を緩和することができる。
【００１２】
リブガラスとしては、非強化のフロートガラスを適用してもよく、また、強化ガラスでもよく、倍強度ガラスでもよい。また、合わせガラスでもよい。本発明では、リブガラスに貫通孔を加工しないため、リブガラスとしてフロートガラスを適用しても強度的に問題は無い。
【００１３】
本発明によれば、前記連結部材の前記取付部は、前記目地部を形成する隣接するフェイスガラスの目地部に沿う辺を支持するサッシフレーム部であることが好ましい。
【００１４】
本発明によれば、前記連結部材の前記取付部は、前記フェイスガラスを強化ガラスまたは倍強度ガラスで構成し、該強化ガラスまたは倍強度ガラスに形成された貫通孔に取り付けられる腕状部材であることが好ましい。
【００１５】
本発明によれば、前記連結部材は、前記リブガラスの長手方向に所定の間隔をもって複数取り付けられていることが好ましい。
【００１６】
特許文献１のガラススクリーンは、リブガラスの長手方向（高さ方向）の長さと略等しい長さを持つ連続した構造の連結部材を配置することでガラススクリーンに耐風圧等の強度を持たせている。これに対し、ビルの低層階のように高層階よりも耐風圧をそれほど設計的に考慮しなくてもよい設置場所には、前記連続した構造の連結部材を設けることは非常に無駄があり、また、景観を損ねるという不具合もある。よって、このような場所に設置されるガラススクリーンにおいては、リブガラスの長手方向に所定の間隔をもって連結部材を複数取り付けることが好ましい。これにより、連結部材の材料の無駄、景観を損ねるという不具合を解消することができる。なお、内装用のガラススクリーンにおいても同様である。
【発明の効果】
【００１７】
前述したように本発明に係るガラスリブ構造によれば、リブガラスに凹状穴を形成し、この凹状穴に連結部材の嵌合部を嵌合させて連結部材をリブガラスに取り付けたので、ガラススクリーンの施工性に優れ、外観的に見栄えのよいガラスリブ構造を提供できる。
【発明を実施するための最良の形態】
【００１８】
以下、添付図面に従って本発明に係るガラスリブ構造の好ましい実施の形態について詳説する。
【００１９】
図１は、第１の実施の形態のガラスリブ構造１０が適用されたガラススクリーン１２を室内から見た要部斜視図である。同図に示すガラススクリーン１２は、複数枚（図１では２枚）の矩形状フェイスガラス１４、１４…を面一になるように隣接して配置するとともに、フェイスガラス１４、１４…の対向する一対の二辺である上下辺を支持枠であるサッシ１６、１６に支持させ、隣接するフェイスガラス１４、１４間の目地部１８に長尺矩形状のリブガラス２０をフェイスガラス１４の直交方向に配置することにより構成される。
【００２０】
リブガラス２０は、ガラスリブ構造１０を構成する金属製の連結部材２２を介して目地部１８に取り付けられている。実施の形態のガラススクリーン１２では、連結部材２２が上下方向に所定の間隔をもって３個配置されている例について説明するが、連結部材２２の個数はこれに限定されるものでもなく、また、連結部材２２は、リブガラス２０の高さ方向長さと略同長の連続した構造であってもよい。更に、上部に配置された連結部材２２及び下部に配置された連結部材２２は、上下のサッシ１６、１６と接していないため、サッシ１６、１６との取り合いが簡略化されている。
【００２１】
実施の形態のガラスリブ構造１０の特徴は、図２、図３に示すようにリブガラス２０の両面の所定の位置に複数の断面略円弧形状の凹状穴（以下、「ディンプル」と称する）２４、２４…が形成されていること、及びリブガラス２０を目地部１８に取り付ける連結部材２２に、ディンプル２４に嵌合される嵌合部（以下、「ディンプルカップ」と称する）２６と、目地部１８を形成する左右のフェイスガラス１４、１４に取り付けられる取付部（以下、「サッシフレーム部」と称する）２８とが設けられていることにある。なお、図２は、図１に示したガラススクリーン１２の要部水平断面図であり、図３は、図１に示したガラススクリーン１２の要部側面図である。
【００２２】
ディンプルカップ２６は、図２に示すように連結部材２２の断面略コ字形状をした本体部３０の内側に配置されるとともに、その対向位置に形成されているディンプル２４に面接触で嵌合するように嵌合面が球面状に形成されている。また、ディンプルカップ２６の嵌合面には、この嵌合面に沿った形状の緩衝材３２が取り付けられている。緩衝材３２はシート状に形成され、ディンプルカップ２６の嵌合面を覆うように球面状に形成されている。また、緩衝材３２は、その中央部に形成された凸部３２Ａが、ディンプルカップ２６の嵌合面の中央部に形成された凹部２６Ａに嵌合されることにより、ディンプルカップ２６と一体に取り付けられている。なお、緩衝材３２は必須の構成ではないが、ディンプル２４とディンプルカップ２６との間に緩衝材３２を介在させることによって、金属製のディンプルカップ２６による応力集中を緩和することができるので好ましい。緩衝材３２としてはナイロン、ポリアセタール等のエンジニアリングプラスチックが好ましい。
【００２３】
ディンプルカップ２６は、緩衝材３２の表面に塗布された接着剤によってリブガラス２０のディンプル２４に予め固着される。また、連結部材２２の本体部３０の側面には、ねじ孔３４が貫通形成されている。このねじ孔３４には、円柱状の六角穴３５付きボルト３６が螺合されている。
【００２４】
かかる構成において、ディンプルカップ２６をディンプル２４に所定の力をもって嵌合させる作業手順について説明する。
【００２５】
まず、前述したように緩衝材３２の表面に塗布された接着剤によってリブガラス２０のディンプル２４にディンプルカップ２６を固着する。次に、本体部３０の凹部にリブガラス２０を挿入する。次いで、本体部３０をリブガラス２０に対して長手方向にスライド移動させて、本体部３０の側面からディンプルカップ２６の位置を、ねじ孔３４を介して確認する。この位置がリブガラス２０に対する連結部材２２の取り付け位置である。この後、ボルト３６の六角穴３５に六角レンチを差し込み、ボルト３６をねじ孔３４に螺入させていくと、このボルト３６の先端部がディンプルカップ２６の凹部２６Ｂに嵌合していく。そして更にボルト３６を螺入させていくと、ボルト３６がディンプルカップ２６を押圧することにより、ディンプルカップ２６がディンプル２４に押し付けられる。これにより、ディンプルカップ２６がディンプル２４に所定の力をもって嵌合される。そして、ボルト３６の軸力を調整することにより、ディンプルカップ２６の嵌合力が調整される。以上が前記作業手順である。これにより、連結部材２２とリブガラス２０とが構造的に一体化される。なお、図１、図２に示したディンプル２４、ディンプルカップ２６、及びボルト３６から分かるように１個の連結部材２２に対し、片側各々２箇所においてディンプルカップ２６がディンプル２４に嵌合される。これは、主に強度上の要件によるもので、要求強度が小さければ１箇所でも良い。勿論、３箇所以上でも不可能ではないが、ディンプル部分に均等に荷重が加わるためには、２箇所を１セットとすることが好適である。また、図２の符号３８はシリコーン製の接着テープであり、この接着テープ３８を介してリブガラス２０の小口面２０Ａが本体部３０の凹部底部３０Ａに接着される。この接着テープ３８は、緩衝材としても機能する。
【００２６】
サッシフレーム部２８は、本体部３０と一体に形成された金属製のプレート４０と、ガラススクリーン１２の室外側に配置される金属製のプレート４２とから構成される。プレート４０は、本体部３０の端部中央から本体部３０の長手方向に沿って形成されており、図２の如く目地部１８の隙間に貫通配置される。また、プレート４０の先端部は折り曲げられて係合部４１が形成されており、この係合部４１がプレート４２の中央部に形成された係合部４３に係合される。これにより、プレート４０とプレート４２とが連結されてサッシフレーム部２８が構成される。また、プレート４２とフェイスガラス１４、１４との間の隙間には、プレート４０を境にしてその両側にガスケット４４及びウェザーシール４６が各々打設されている。更に、本体部３０とフェイスガラス１４、１４との間の隙間には、プレート４０を境にしてガスケット４８及びシリコーンシーラント５０が各々打設されている。これによって、連結部材２２が目地部１８に水密性をもって固定される。よって、フェイスガラス１４の面外方向に作用する風圧力を、連結部材２２を介してリブガラス２０で支持できる。連結部材２２が存在しない部分では、リブガラス２０とフェイスガラス１４とを、シリコーン系シーリング材で接着する構成として、従来のガラススクリーン構法と同様の納まりとすればよい。なお、本発明のガラスリブ構造は、ディンプル２４に連結部材２２の嵌合部（ディンプルカップ２６）を嵌合させて連結部材２２とリブガラス２０とを構造的に一体化することにより構造的な要件は満たしているので、従来のガラススクリーン構法とは異なり、連結部材２２が存在しない部分においても、構造シリコーンに限定して施工する必要はなく、ウェザーシールで施工してもよい。
【００２７】
以上が実施の形態のガラスリブ構造１０の構成であるが、このガラスリブ構造１０は、リブガラス２０にディンプル２４を加工し、このディンプル２４に連結部材２２のディンプルカップ２６を嵌合させて連結部材２２をリブガラス２０に取り付けることを主たる構成としている。
【００２８】
これにより、連結部材２２は従来のように溝に沿って落下するようなことはなく、ボルト３６の螺入作業によってディンプルカップ２６をディンプル２４に嵌合させるだけで、連結部材２２がリブガラス２０に固定される。したがって、実施の形態のガラスリブ構造１０は、従来のような連結部材の仮止め作業が不要になるので、ガラススクリーン１２の施工性が向上する。
【００２９】
また、ディンプル２４は、ディンプルカップ２６がディンプル２４に嵌合すると、連結部材２２の本体部３０に隠されて露出しないので、ガラススクリーン１２の外観の見栄えが改善される。特に、人目のつくビルの低層階に設置されるガラススクリーンに好適となる。
【００３０】
なお、実施の形態のガラスリブ構造１０は、ディンプルカップ２６を連結部材２２の本体部３０と別体とし、ディンプルカップ２６をディンプル２４に予め固着する構成としたが、これに限定されるものではない。例えば、ディンプルカップ２６とボルト３６とを一体的に構成し、これを本体部３０のねじ孔３４に予め螺合させておき、ボルト３６を締め込むことでディンプルカップ２６をディンプル２４に嵌合させる構成としてもよい。この構成の場合、本体部３０の凹部にリブガラス２０を挿入する際に、リブガラス２０がディンプルカップ２６に干渉しないよう、ディンプルカップ２６の逃げを本体部３０に形成する必要がある。
【００３１】
図４、図５には第２の実施の形態のガラスリブ構造１００が示されている。
【００３２】
このガラスリブ構造１００は、フェイスガラス１１４を強化ガラスで構成し、そのフェイスガラス１１４の４隅に孔明け加工したものを複数枚揃え、これらのフェイスガラス１１４、１１４…を面一となるように隣接して配設し、４枚のフェイスガラス１１４、１１４…が突き合わされる垂直方向及び水平方向の目地部１１８、１１８が直交する付近に連結部材１２２を介してリブガラス２０を取り付けたものである。
【００３３】
連結部材１２２の取付部は、ＤＰＧ構法（Dot-Point-Glazing構法）の例えば旭硝子株式会社商品名「テンポイント」に使用される周知の金属製腕状部材１２０である。この腕状部材１２０は、連結部材１２２の本体部１３０に軸受１２８を介して取り付けられたアーム１４０と、アーム１４０から放射した４本のブランチ１４２、１４２…を有している。これらのブランチ１４２、１４２…の各先端部には、強化ガラス製のフェイスガラス１１４に形成された孔１１５に嵌入固定される特殊ヒンジボルト１４４が取り付けられている。例えば、特殊ヒンジボルト１４４は、その内部にボールジョイントを有し、フェイスガラス１１４の面内方向の変位を回動することで吸収する。
【００３４】
したがって、このガラスリブ構造１００においても、リブガラス２０を金属製の連結部材１２２を介してフェイスガラス１１４、１１４…に固定できる。また、ガラスリブ構造１００は、強化ガラスであるフェイスガラス１１４に孔明け加工はするものの、本発明によるディンプルを適用するため、リブガラス２０には孔明け加工（貫通孔加工）が不要なので、リブガラス２０として、通常の板ガラスである非強化ガラス（例えば、フロートガラス）を用いることができる。なお、目地部１１８には、シーリング材１４６が充填されている。このガラスリブ構造１００は、連結部材１２２とリブガラス２０とが構造的に一体化されており、フェイスガラス１１４にかかる風圧力等をリブガラス２０で支持する構造なので、シーリング材１４６としては高強度なシーリング材ではなく、中又は低モジュラスのシーリング材が適用されている。また、フェイスガラス１１４、１１４…の自重は、吊りロッド１４８によって支持されている。
【００３５】
また、図５に示すディンプル１２４、ディンプルカップ１２６、緩衝材１３２、及びボルト１３６の構成は、図２に示したガラスリブ構造１０と同様であるので、ここではその説明を省略する。
【００３６】
更に、本発明のガラスリブ構造は、旭硝子株式会社商品名「メタルポイント」にも適用することができる。「メタルポイント」とは、フェイスガラスのガラスエッジの表裏を、緩衝材を介して支持部品で挟み込むことにより、隣接するフェイスガラスを支持するフレームレスガラスファサードである。「メタルポイント」は、フェイスガラスに孔加工が不要なため、設計条件ではフロートガラスの使用が可能となる。
【００３７】
ところで、本発明で規定する凹状穴とは、貫通孔ではなく連結部材２２、１２２の嵌合部（ディンプルカップ２６、１２６）が嵌合し得る凹部である。実施の形態のガラスリブ構造１０、１００では、リブガラスの正面から見た場合、点対称の形状で加工された凹部であり、汎用のドリルマシンでも形成できる穴である。また、リブガラスの両面の対向する位置に凹状穴を同時に形成すべく、リブガラスの両側から回転軸を一致させたドリルで表裏面の凹状穴を同時に加工できる。
【００３８】
また、凹状穴はディンプル２４に限定されるものではなく、図６〜図９に示される凹状穴２２４、３２４、４２４、５２４等を例示できる。
【００３９】
図６（Ａ）、（Ｂ）に示す凹状穴２２４は、中央部に円形の島部２２５を残してその周囲に断面凹状の溝２２６を形成した穴である。図７に示す凹状穴３２４は、中央部に円形の島部３２５を残してその周囲に平坦部３２６とテーパ面３２７とを有する溝３２８を形成した穴である。図８に示す凹状穴４２４は、中央部に円形の島部４２５を残してその周囲に断面略Ｖ字状の溝４２６を形成した穴である。図９に示す凹状穴５２４は、単なる凹状の穴である。これらの凹状穴２２４、３２４、４２４、５２４は全て点対称の形状で加工された凹部である。また、ディンプルカップは、これらの凹状穴２２４〜５２４の形状に対応した形状に構成されている。
【００４０】
本発明のガラスリブ構造は、上記実施の形態で説明した構造に限定されるものではなく、本発明の要旨を逸脱しない範囲での種々の設計変更等が可能である。つまり、リブガラスに凹状穴が形成され、この凹状穴に嵌合される嵌合部が連結部材に設けられ、連結部材に形成された嵌合部をリブガラスに形成された凹状穴に嵌合させて連結部材とリブガラスとを構造的に一体化させることにより、フェイスガラスの面外方向に作用する風圧力をリブガラスで支持したものであればよい。
【実施例】
【００４１】
本発明のガラスリブ構造の強度を、ＦＥＭ解析を実施することにより確認した。
【００４２】
ＦＥＭ解析おいては、板厚１９ｍｍの強化ガラスに貫通孔（φ２５）を形成したものと、非強化ガラスである板厚１９ｍｍのフロートガラスに実施の形態のディンプル（凹状穴。φ２５−深さ４ｍｍ）を形成したものとを揃え、貫通孔及びディンプルに嵌合部材を嵌合させ、この嵌合部材を所定の荷重で引っ張ったときの許容荷重（ガラスの許容応力に達するときの荷重）で比較した。この結果、ガラスのエッジからガラスの内側に２０ｍｍ離れた位置、及び１５ｍｍ離れた位置においては、フロートガラスの許容荷重となる荷重が、ディンプルを形成したものが、貫通孔を形成したものを上回ることが判明した。即ち、ディンプルを形成したものは、よりガラスエッジに近い部分にディンプルを形成でき、その結果、より小さな嵌合部材（連結部材）を用いてガラススクリーンを構成して、より高い透明感を実現することが可能となる。よって、外観的に見栄えのよいガラスリブ構造が得られる。また、連結部材はディンプルを介してリブガラスに嵌合されるので、施工時に仮止め作業が不要になるので、ガラススクリーンの施工性に優れる。
【図面の簡単な説明】
【００４３】
【図１】実施の形態のガラスリブ構造が適用されたガラススクリーンの要部斜視図
【図２】図１に示したガラススクリーンの要部水平断面図、
【図３】図１に示したガラススクリーンの要部側面図
【図４】他の実施の形態のガラスリブ構造が適用されたガラススクリーンの要部斜視図
【図５】図４に示したガラススクリーンの要部水平断面図、
【図６】リブガラスに加工される凹状穴の一例を示した説明図
【図７】リブガラスに加工される凹状穴の一例を示したリブガラスの断面図
【図８】リブガラスに加工される凹状穴の一例を示したリブガラスの断面図
【図９】リブガラスに加工される凹状穴の一例を示したリブガラスの断面図
【符号の説明】
【００４４】
１０…ガラスリブ構造、１２…ガラススクリーン、１４…フェイスガラス、１６…サッシ、１８…目地部、２０…リブガラス、２０Ａ…小口面、２２…連結部材、２４…ディンプル、２６…ディンプルカップ、２６Ａ、２６Ｂ…凹部、２８…サッシフレーム部、３０…本体部、３０Ａ…凹部底部、３２…緩衝材、３２Ａ…凸部、３４…ねじ孔、３５…六角穴、３６…六角穴付きボルト、３８…接着テープ、４０…プレート、４１…係合部、４２…プレート、４３…係合部、４４…ガスケット、４６…ウェザーシール、４８…ガスケット、５０…シリコーンシーラント、１００…ガラスリブ構造、１１４…フェイスガラス、１１５…孔、１１８…目地部、１２０…腕状部材、１２２…連結部材、１２４…ディンプル、１２６…ディンプルカップ、１２８…軸受、１３０…本体部、１３２…緩衝材、１３６…六角穴付きボルト、１４０…アーム、１４２…ブランチ、１４４…特殊ヒンジボルト、１４６…シーリング材、１４８…吊りロッド、２２４…凹状穴、２２５…島部、２２６…溝、３２４…凹状穴、３２５…島部、３２６…平坦部、３２７…テーパ面、３２８…溝、４２４…凹状穴、４２５…島部、４２６…溝、５２４…凹状穴
【図１】
2010043456.tif 000003
【図２】
2010043456.tif 000004
【図３】
2010043456.tif 000005
【図４】
2010043456.tif 000006
【図５】
2010043456.tif 000007
【図６】
2010043456.tif 000008
【図７】
2010043456.tif 000009
【図８】
2010043456.tif 000010
【図９】
2010043456.tif 000011